(57)【特許請求の範囲】
【請求項１】
燃焼筒の下部に燃焼用空気の供給により燃焼するバーナーを備え、燃焼ガスが燃焼筒と連結されてなる熱交換器を通して外部に排気するとともに、送風ファンにより燃焼筒と熱交換器の熱が熱交換され温風となって室内に放出される温風暖房機において、筒状に構成された燃焼筒（１１）内側に、その燃焼筒（１１）との間に空間を設けるように遮熱板（１７）を取付け、その遮熱板（１７）と燃焼筒（１１）との間に形成する空間の燃焼用空気の流れ上流側を閉塞し、遮熱板（１７）の燃焼用空気の流れ下流側は、一方を燃焼筒（１１）とつながる開口部（２０）とし、他方は燃焼筒（１１）上部と接触し燃焼ガスが遮熱板（１７）と燃焼筒（１１）との間に形成する空間に流れ込まない構成とし、燃焼ガスが遮熱板（１７）の開口部（２０）から燃焼筒（１１）と遮熱板（１７）の間の空間を通り燃焼筒（１１）の排部に設ける連結口（２２）を介し熱交換器（１２）に流れる構成とし、かつ前記空間内に空間の一部を分割するように分割板（２１）を取付け、開口部（２０）に流れ込んだ燃焼ガスは、分割板（２１）に沿い空間内を燃焼用空気の流れ上流側に流れ、更に、分割板を迂回し空間内を燃焼用空気の流れ下流側に流れ燃焼筒（１１）と連結されてなる熱交換器（１２）に流れることを特徴とする温風暖房機。
【請求項２】
前記遮熱板（１７）の燃焼用空気の流れ下流側の開口部（２０）を送風ファンの風が出る上流側に設けたことを特徴とする請求項１記載の温風暖房機。
【発明の詳細な説明】
【０００１】
【発明の属する技術分野】
本発明は、一般家庭で暖を採る温風暖房機に関するものである。
【０００２】
【従来の技術】
従来の一般的な温風暖房機は、例えば図２および図３に示すとおり、燃焼用送風機３により給排気筒１と、給気筒２を介して燃焼用空気４を燃焼筒下部の空気室５に供給し、バーナーの混合室７で一次空気８と燃料６を混合し、バーナー炎孔９で燃焼し、炎１０を形成する。
【０００３】
炎１０は、燃焼筒１１内で燃焼を完了し、燃焼ガス１４となり、送風機１５よりの風１６により熱交換され、さらに熱交換器１２を通り、送風機１５よりの風１６により熱交換され、温風１８となり、室内に放出されるとともに、排気ガス１３は給排気筒１を介して屋外に排出される。
【０００４】
この際、炎１０がまだ燃焼ガスとなり、空気と混合されていない高温の状態で燃焼筒１１に接触すると、通常アルミメッキ鋼板等で構成される燃焼筒１１の温度が許容温度以上に上昇し、耐久的にもたないため、温度的に耐力の高いステンレス鋼板の遮熱板１７を燃焼筒１１の熱交換器１２内側に取付け、直接炎１０が燃焼筒１１の表面に当たらないようにして、温度上昇を防止する構成のものが一般に知られている。
【０００５】
（たとえば、特開平０５−２９６４２０号公報参照のこと）
【０００６】
【発明が解決しようとする課題】
しかしながら、前記従来例の構成の温風暖房機では、遮熱板は燃焼筒の温度上昇を防止するためだけに用いられ、かつ遮熱板と燃焼筒の空間には燃焼ガスが流れないことにより燃焼筒への熱の伝達を阻害するように構成されているため、熱効率の向上に弊害があり、ステンレス鋼板という高価な材料を使っているにしては、充分に部品としての有効性を発揮できないという問題点があった。
【０００７】
【課題を解決するための手段】
本発明は、上記の課題を解決するためになされたものであり、筒状に構成された燃焼筒内側に、その燃焼筒との間に空間を設けるように遮熱板を取付け、その遮熱板と燃焼筒との間に形成する空間の燃焼用空気の流れ上流側を閉塞し、遮熱板の燃焼用空気の流れ下流側は、一方を燃焼筒とつながる開口部とし、他方は燃焼筒上部と接触し燃焼ガスが遮熱板と燃焼筒との間に形成する空間に流れ込まない構成とし、燃焼ガスが遮熱板の開口部から燃焼筒と遮熱板の間の空間を通り燃焼筒の排部に設ける連結口を介し熱交換器に流れる構成とし、かつ前記空間内に空間の一部を分割するように分割板を取付け、開口部に流れ込んだ燃焼ガスは、分割板に沿い空間内を燃焼用空気の流れ上流側に流れ、更に、分割板を迂回し空間内を燃焼用空気の流れ下流側に流れ燃焼筒と連結されてなる熱交換器に流れるものとした。
【０００８】
また、前記遮熱板の燃焼用空気の流れ下流側の開口部を送風ファンの風が出る上流側に設けたものとした。
【０００９】
【発明の実施の形態】
本発明は、筒状に構成された燃焼筒内側に、その燃焼筒との間に空間を設けるように遮熱板を取付け、その遮熱板と燃焼筒との間に形成する空間の燃焼用空気の流れ上流側を閉塞し、遮熱板の燃焼用空気の流れ下流側は、一方を燃焼筒とつながる開口部とし、他方は燃焼筒上部と接触し燃焼ガスが遮熱板（１７）と燃焼筒（１１）との間に形成する空間に流れ込まない構成とし、燃焼ガスが遮熱板（１７）の開口部（２０）から燃焼筒（１１）と遮熱板（１７）の間の空間を通り燃焼筒（１１）の排部に設ける連結口（２２）を介し熱交換器（１２）に流れる構成とし、かつ前記空間内に空間の一部を分割するように分割板（２１）を取付け、開口部（２０）に流れ込んだ燃焼ガスは、分割板（２１）に沿い空間内を燃焼用空気の流れ上流側に流れ、更に、分割板を迂回し空間内を燃焼用空気の流れ下流側に流れ燃焼筒（１１）と連結されてなる熱交換器（１２）に流れるものとしたことにより、炎は直接燃焼筒に接触することなく、燃焼筒の温度を許容温度以上に上昇させることはない。
【００１０】
また、燃焼を完了した燃焼ガスは空気と混合され、ある程度温度が低下した状態で、遮熱板の開口部より燃焼筒と遮熱板の間の空間に流れ、分割板により、開口部より入った燃焼ガスは燃焼筒に接触しながら、燃焼筒と遮熱板の間の空間に流れ、分割板を迂回して、燃焼筒に接触しながら、燃焼筒を通り、連結されている熱交換器へ流れ、送風フアンの風により熱交換され、温風となり、室内に放出されるとともに、排気ガスは給排気筒を介して屋外に排出される。
【００１１】
【実施例】
以下、本発明の一実施例を示す図面に従って説明する。
【００１２】
図において、１１は筒状に構成された燃焼筒であり、１７は遮熱板であり、前記燃焼筒１１内側にその燃焼筒１１との間に空間を設けるように遮熱板１７を取付け、その遮熱板１７と燃焼筒１１との間に形成する空間の燃焼用空気の流れ上流側を閉塞し、遮熱板１７の燃焼用空気の流れ下流側は、一方を燃焼筒１１とつながる開口部２０とし、他方は燃焼筒１１上部と接触し燃焼ガスが流れない構成とし、燃焼ガスが遮熱板の開口部２０から燃焼筒１１と遮熱板１７の間の空間を通り燃焼筒１１の排部に設ける連結口２２を介し熱交換器１２に流れる構成とし、かつ前記空間内に空間の一部を分割するように分割板２１を取付けて構成している。
【００１３】
また、前記遮熱板１７の燃焼用空気の流れ下流側の開口部２０を対流用送風ファン（図示せず）の風が出る上流側に設けた構成にしている。
【００１４】
１９は遮熱板１７下部の閉塞板である。
【００１５】
２０は遮熱板上部の開口部である。
【００１６】
２１は、遮熱板１７と燃焼筒１１の間の空間を分割する分割板である。
【００１７】
２２は燃焼ガスを連結された熱交換器１２に流すための連結口である。
【００１８】
次に、前記構成における作用を説明する。
【００１９】
燃焼筒１１内部で燃焼を完了した燃焼ガス１４は、空気と混合され、遮熱板１７上部の開口部２０より遮熱板１７と燃焼筒１１の間の空間に流れ、分割板２１を迂回して、燃焼筒１１表面に接触しながら燃焼筒１１下部に流れ、更に燃焼筒１１上部に流れ、熱交換器１２への連結口２２へと流れる。
【００２０】
この間、燃焼ガス１４は、送風ファンよりの風１６により熱交換される。
【００２１】
前記遮熱板１７は燃焼筒１１へ燃焼の完了していない高温の炎を直接あてることなく、燃焼筒１１の温度上昇を防止し、耐久性の劣化を防止することが出来る。
【００２２】
かつ、燃焼が完了し燃焼ガス１４となり、空気と混合され、ある程度温度が低下した燃焼ガス１４を遮熱板１７上部の開口部２０より取り入れ、遮熱板１７と燃焼筒１１の間の空間下部に流し、更に分割板２１で燃焼ガス１４を迂回し、遮熱板１７上部の連結口２２に流すことにより、燃焼ガス１４を充分に燃焼筒１１に接触させることで熱通過率を向上でき、燃焼筒１１に送風ファンよりの風を当てることで、高い熱効率を得ることができる。
【００２３】
【発明の効果】
以上述べたように、本発明によれば、筒状に構成された燃焼筒内側に、その燃焼筒との間に空間を設けるように遮熱板を取付け、その遮熱板と燃焼筒との間に形成する空間の燃焼用空気の流れ上流側を閉鎖し、遮熱板の燃焼用空気の流れ下流側は、一方を燃焼筒とつながる開口部とし、他方は燃焼筒上部と接触し燃焼ガスが流れない構成とし、燃焼ガスが遮熱板の開口部から燃焼筒と遮熱板の間の空間を通り燃焼筒の排部に設ける連結口に熱交換器を連結している構成とし、かつ前記空間内に空間の一部を分割するように分割板を取付けて構成することにより、遮熱板は燃焼筒へ燃焼の完了していない高温の炎を直接あてることなく、燃焼筒の温度上昇を防止し、耐久性の劣化を防止することが出来、かつ燃焼が完了し燃焼ガスとなり、空気と混合され、ある程度温度が低下した燃焼ガスを遮熱板上部の開口部より取り入れ、遮熱板と燃焼筒の間の空間下部に流し、更に分割板で燃焼ガスを迂回し、遮熱板上部の連結口に流すことにより、燃焼ガスを充分に燃焼筒に接触させることで熱通過率を向上でき、燃焼筒に送風フアンよりの風を当てることで、高い熱効率を得ることができる。
【００２４】
遮熱板を燃焼筒の温度上昇防止のみに使うのではなく、この遮熱板を有効に使うことで熱効率の向上にも寄与でき、遮熱と熱効率向上等有益な温風暖房機を提供できるものとなった。
【図面の簡単な説明】
【図１】本発明の一実施例を示す温風暖房機の要部を示す斜視図である。
【図２】従来例を示す温風暖房機の断面図である。
【図３】従来例を示す温風暖房機の平面断面図である。
【符号の説明】
１１  燃焼筒
１２  熱交換器
１４  燃焼ガス
１６  風
１７  遮熱板
２０  開口部
２１  分割板
２２  連結口
【図１】
0003563542.tif 000002
【図２】
0003563542.tif 000003
【図３】
0003563542.tif 000004